(57)【要約】【課題】掃除を楽に行うことができ、匂いや汚れが付いた場合でも容易に落とすことができる干し棚を提供する。【解決手段】任意の場所に掛けることが可能な吊り手段１１と、吊り手段１１に吊支持される上段部１２と、上段部１２の下方に水平に配置可能な網棚部１３と、網棚部１３を上段部１２または他の網棚部１３と連結するための連結手段１５と、を備え、連結手段１５を上段部１２または網棚部１３に対して着脱可能とした。【選択図】図６
0003205478.tif 000002
【実用新案登録請求の範囲】
【請求項１】
任意の場所に掛けることが可能な吊り手段と、
前記吊り手段に吊支持される上段部と、
前記上段部の下方に水平に配置可能な網棚部と、
前記網棚部を前記上段部または他の網棚部と連結するための連結手段と、
を備え、
前記連結手段は、前記上段部または前記網棚部に対して着脱可能であることを特徴とする、干し棚。
【請求項２】
前記連結手段は、前記網棚部に固定された紐状部材と、前記紐状部材の端部に設けられた掛止部と、を備え、
前記掛止部は、前記上段部または前記網棚部の枠に着脱可能であることを特徴とする、請求項１記載の干し棚。
【請求項３】
前記上段部の周囲に巻き付けるように着脱可能な防虫網を備えることを特徴とする、請求項１又は２記載の干し棚。
【請求項４】
前記防虫網には、前記上段部の外周縁に係止可能な係止手段が縫着又は接着されていることを特徴とする、請求項３記載の干し棚。
【考案の詳細な説明】
【技術分野】
【０００１】
この考案は、魚や野菜、食器などを干すために使用できる干し棚に関する。
【背景技術】
【０００２】
従来、魚や野菜を干して干物や干し野菜などを作成するために、干しかごが使用されている。一般的な干しかごは、上枠と下枠とがネットで覆われて連結されている。そして、側部に開閉可能な開口部が設けられており、この開口部から魚や野菜を出し入れできるようになっている（例えば特許文献１参照）。
【先行技術文献】
【特許文献】
【０００３】
【特許文献１】特開２０１１−１６３７１８号公報
【考案の概要】
【考案が解決しようとする課題】
【０００４】
しかし、上記したような従来の干しかごは、ネットを外して洗うことができず、匂いや汚れを落としにくいという問題があった。
【０００５】
そこで、本考案は、掃除を楽に行うことができ、匂いや汚れが付いた場合でも容易に落とすことができる干し棚を提供することを課題とする。
【課題を解決するための手段】
【０００６】
本考案は、上記した課題を解決するためになされたものであり、以下を特徴とする。
【０００７】
請求項１記載の考案は、任意の場所に掛けることが可能な吊り手段と、前記吊り手段に吊支持される上段部と、前記上段部の下方に水平に配置可能な網棚部と、前記網棚部を前記上段部または他の網棚部と連結するための連結手段と、を備え、前記連結手段は、前記上段部または前記網棚部に対して着脱可能であることを特徴とする。
【０００８】
請求項２に記載の考案は、前記連結手段は、前記網棚部に固定された紐状部材と、前記紐状部材の端部に設けられた掛止部と、を備え、前記掛止部は、前記上段部または前記網棚部の枠に着脱可能であることを特徴とする。
【０００９】
請求項３に記載の考案は、前記上段部の周囲に巻き付けるように着脱可能な防虫網を備えることを特徴とする。
【００１０】
請求項４に記載の考案は、前記防虫網には、前記上段部の外周縁に係止可能な係止手段が縫着又は接着されていることを特徴とする。
【考案の効果】
【００１１】
請求項１に記載の考案は上記の通りであり、上段部の下方に水平に配置可能な網棚部と、網棚部を上段部または他の網棚部と連結するための連結手段と、を備え、連結手段は、上段部または網棚部に対して着脱可能である。このような構成によれば、連結手段によって上段部と網棚部とを分解することができるので、掃除を楽に行うことができ、匂いや汚れが付いた場合でも容易に落とすことができる。
【００１２】
また、連結手段によって網棚部を繋げていく構造であるので、網棚部の増減も容易である。よって、干す量が増減した場合でも、その量に応じて網棚部を増減させることができる。
【００１３】
また、請求項２に記載の考案は上記の通りであり、連結手段は、網棚部に固定された紐状部材と、紐状部材の端部に設けられた掛止部と、を備え、掛止部は、上段部または網棚部の枠に着脱可能である。このような構成によれば、シンプルな構造で連結手段を構成できるので、安価に干し棚を製造することができる。
【００１４】
また、請求項３に記載の考案は上記の通りであり、上段部の周囲に巻き付けるように着脱可能な防虫網を備える。このような構成によれば、防虫網が着脱式なので、防虫網を取り付けずに使用することもできる。例えば、害虫がいない場所では、防虫網を付けないことで乾燥を早めることができる。また、干物を出し入れするときに防虫網を取り外すことで作業がしやすくなる。
【００１５】
また、請求項４に記載の考案は上記の通りであり、防虫網には、上段部の外周縁に係止可能な係止手段が縫着又は接着されている。このような構成によれば、防虫網と係止手段とが一体的であるので係止手段を紛失することがなく、管理が容易である。
【図面の簡単な説明】
【００１６】
【図１】干し棚の外観図である。
【図２】干し棚の正面図である。
【図３】上段部に防虫網を取り付ける様子を示す平面図である。
【図４】上段部に防虫網を取り付けた状態を示す平面図である。
【図５】防虫網を取り外した状態の干し棚の正面図である。
【図６】網棚部を分解した干し棚を示す図である。
【図７】干し棚を折り畳んだ状態の図である。
【図８】掛止部の一部拡大図であって、（ａ）自然状態の図、（ｂ）ピンを押して開いた状態の図である。
【考案を実施するための形態】
【００１７】
本考案の実施形態について、図を参照しつつ説明する。
本実施形態に係る干し棚１０は、魚や野菜、食器などを干すために使用されるものであり、図１、図２及び図５に示すように、吊り手段１１と、上段部１２と、網棚部１３と、下段部１４と、連結手段１５と、防虫網２０と、を備えて構成される。
【００１８】
吊り手段１１は、任意の場所に掛けることが可能に形成されており、本実施時形態においては、フック１１ａと、フック１１ａの下部に固定されたリング１１ｂと、リング１１ｂに連結された吊紐１１ｃと、を備える。吊紐１１ｃは、一端がリング１１ｂに取り付けられており、他端が上段部１２の外周縁に取り付けられている。この吊紐１１ｃは上段部１２を安定的に吊り支持するためのものであり、同じ長さの複数の吊紐１１ｃが上段部１２に取り付けられている。本実施形態においては、上段部１２の４つの角部にそれぞれ吊紐１１ｃが取り付けられている。この吊紐１１ｃは、上段部１２を安定的に吊り支持できるものであればよく、例えば、チェーン、ワイヤ、棒材などであってもよい。また、フック１１ａを設けずに、吊紐１１ｃを直接任意の場所に掛けられるようにしてもよい。
【００１９】
上段部１２は、上記した吊り手段１１に吊支持されるものであり、本実施形態においては、図１等に示すような網状体である。具体的には、この上段部１２は、四角形の枠１２ａの内側に網部１２ｂを張って構成されている。このように網部１２ｂを設けることで、日光を遮らずに通気性を保つことができるようになっている。なお、この上段部１２の網部１２ｂが防虫の役割を果たすためには、目の細かい網を使用することが望ましい。例えば、マス目の幅が２ｍｍ以下のメッシュを使用することが望ましい。
【００２０】
網棚部１３は、図５等に示すように、上段部１２の下方に水平に配置可能なものであり、干す物（魚や野菜等）を載置可能な網状体である。この網棚部１３は、上段部１２と同じ大きさであり、上段部１２と同様に四角形の枠の内側に網部を張って構成されている。この網棚部１３の網部は、通気性を確保するために、上段部１２よりも目の荒い網を使用することが望ましい。例えば、マス目の幅が１０〜１５ｍｍのメッシュを使用することが望ましい。
【００２１】
下段部１４は、図５等に示すように、最も下段の網棚部１３の下方に水平に配置可能なものである。この下段部１４も、上段部１２や網棚部１３と同様に、枠の内側に網部を張って構成されている。この下段部１４の網部が防虫の役割も果たすためには、目の細かい網を使用することが望ましい。例えば、マス目の幅が２ｍｍ以下のメッシュを使用することが望ましい。
【００２２】
なお、本実施形態においては、下段部１４を使用しているが、防虫を考慮しない場合には下段部１４を省略してもよい。また、最も下段の網棚部１３の網目を細かくしたり、最も下段の網棚部１３に目の細かいメッシュを貼り付けたりすることで、最も下段の網棚部１３が下段部１４の代わりに防虫効果を奏するようにしてもよい。
【００２３】
連結手段１５は、網棚部１３を上段部１２または他の網棚部１３と連結するためのものであり、図５及び図６に示すように、網棚部１３に固定された紐状部材１５ａと、紐状部材１５ａの端部に設けられた掛止部１５ｂと、を備える。なお、本実施形態においては、下段部１４を網棚部１３に連結するための連結手段１５も備えおり、この連結手段１５は、下段部１４に固定された紐状部材１５ａと、紐状部材１５ａの端部に設けられた掛止部１５ｂと、を備える。
【００２４】
紐状部材１５ａは、網棚部１３（または下段部１４）の４つの角部にそれぞれ取り付けられるものであり、１つの網棚部１３（または下段部１４）を連結するために４本の紐状部材１５ａが使用される。この４本の紐状部材１５ａはすべて同じ長さとなっている。この紐状部材１５ａの自由端側には、掛止部１５ｂが取り付けられている。この紐状部材１５ａは、網棚部１３を安定的に吊り支持できるものであればよく、例えば、チェーン、ワイヤ、棒材などで構成することができる。
【００２５】
掛止部１５ｂは、上段部１２または網棚部１３に着脱するための部位である。本実施形態に係る掛止部１５ｂは、図８（ａ）に示すようなカラビナ状の構成となっている。この掛止部１５ｂは、フック１５ｄと、フック１５ｄの方向へ付勢されたピン１５ｃとを備え、自然状態においてフック１５ｄの先端とピン１５ｃの先端とがリング状に連続するようになっている。この自然状態から、図８（ｂ）に示すように、ピン１５ｃを揺動させることで、フック１５ｄの内側に上段部１２の枠や網棚部１３の枠を入り込ませることができるようになっている。このような構造によって掛止部１５ｂは上段部１２または網棚部１３の枠に着脱可能となっている。
【００２６】
このような連結手段１５を備えることで、図５に示すように、上段部１２と、網棚部１３と、下段部１４とを、連結することができるとともに、図６に示すように、上段部１２と、網棚部１３と、下段部１４とを、それぞれ個別に切り離して分解することができるように形成されている。
【００２７】
防虫網２０は、網棚部１３の周囲を覆うことで害虫等の侵入を防ぐためのものであり、図１及び図２等に示すように、上段部１２の周囲に巻き付けるように着脱可能となっている。この防虫網２０は、網状部２１と、上帯部２２と、係止手段２３と、前帯部２４と、後帯部２５と、面ファスナー２６と、を備える。
【００２８】
網状部２１は、通気性を確保しつつも、害虫などが侵入できないようなメッシュ生地で形成されている。この網状部２１の上端縁には、テープ状の上帯部２２が取り付けられている。また、網状部２１の左右端縁には、テープ状の前帯部２４及び後帯部２５が取り付けられている。前帯部２４及び後帯部２５は、図２に示すように、防虫網２０を干し棚１０に取り付けたときに正面で重なり合う部分であり、互いに重なり合う面に面ファスナー２６が取り付けられている。これにより、前帯部２４と後帯部２５とが重なり合ったときに、前帯部２４の裏面に設けられた面ファスナー２６と、後帯部２５の前面に設けられた面ファスナー２６とが結合し、防虫網２０の内部に閉塞された空間が形成されるようになっている。
【００２９】
係止手段２３は、上帯部２２に縫着又は接着されており、上段部１２の外周縁に係止可能となっている。この係止手段２３は、例えば針金を曲げて作られたクリップであり、クリップで上段部１２の枠１２ａを挟み込むように取り付けることで、上段部１２に対して係止可能となっている。本実施形態においては、図４に示すように係止手段２３が配置されており、上段部１２の枠１２ａの一辺につき５個の係止手段２３が配置されるようになっている。
【００３０】
上記した防虫網２０を干し棚１０に取り付けるときには、図３に示すように、最初に、防虫網２０の長手方向の中間に設けられた係止手段２３を、上段部１２の枠１２ａの一辺の中間部に係止する。その後、この最初に係止した係止手段２３の左右へと順番に係止手段２３を係止していけば、容易に防虫網２０を干し棚１０に取り付けることができる。
【００３１】
ところで、本実施形態に係る係止手段２３は、４箇所において他の箇所よりも配置間隔が狭くなるように配置されている。そして、この配置間隔の狭い４箇所が、ちょうど上段部１２の四隅の角に位置し、狭い間隔で配置された２つの係止手段２３が四隅の角を挟み込むようになっている（図４参照）。このように、四隅を挟むように係止手段２３が配置されているため、上段部１２と防虫網２０との間にできるだけ隙間が生じないようになっている。
【００３２】
なお、上記した干し棚１０をしまう場合には、図７に示すように、折り畳んだ防虫網２０、上段部１２、網棚部１３などを重ねて収納すればよい。このように折り畳むことで、かさ張らずに収納することができる。
【００３３】
以上説明したように、本実施形態によれば、上段部１２の下方に水平に配置可能な網棚部１３と、網棚部１３を上段部１２または他の網棚部１３と連結するための連結手段１５と、を備え、連結手段１５は、上段部１２または網棚部１３に対して着脱可能である。このような構成によれば、連結手段１５によって上段部１２と網棚部１３とを分解することができるので、掃除を楽に行うことができ、匂いや雑菌、汚れが付いた場合でも容易に落とすことができる。
【００３４】
また、連結手段１５によって網棚部１３を繋げていく構造であるので、網棚部１３の増減も容易である。よって、干す量が増減した場合でも、その量に応じて網棚部１３を増減させることができる。
【００３５】
また、連結手段１５は、網棚部１３に固定された紐状部材１５ａと、紐状部材１５ａの端部に設けられた掛止部１５ｂと、を備え、掛止部１５ｂは、上段部１２または網棚部１３の枠に着脱可能である。このような構成によれば、シンプルな構造で連結手段１５を構成できるので、安価に干し棚１０を製造することができる。
【００３６】
また、上段部１２の周囲に巻き付けるように着脱可能な防虫網２０を備える。このような構成によれば、防虫網２０が着脱式なので、防虫網２０を取り付けずに使用することもできる。例えば、害虫がいない場所では、防虫網２０を付けないことで乾燥を早めることができる。また、網棚部１３に干す物を並べるときや、網棚部１３に干した物を取り出すときには、防虫網２０を取り外すことで作業がしやすくなる。
【００３７】
また、防虫網２０には、上段部１２の外周縁に係止可能な係止手段２３が縫着又は接着されている。このような構成によれば、防虫網２０と係止手段２３とが一体的であるので係止手段２３を紛失することがなく、管理が容易である。
【符号の説明】
【００３８】
１０  干し棚
１１  吊り手段
１１ａ  フック
１１ｂ  リング
１１ｃ  吊紐
１２  上段部
１２ａ  枠
１２ｂ  網部
１３  網棚部
１４  下段部
１５  連結手段
１５ａ  紐状部材
１５ｂ  掛止部
１５ｃ  ピン
１５ｄ  フック
２０  防虫網
２１  網状部
２２  上帯部
２３  係止手段
２４  前帯部
２５  後帯部
２６  面ファスナー
【図１】
0003205478.tif 000003
【図２】
0003205478.tif 000004
【図３】
0003205478.tif 000005
【図４】
0003205478.tif 000006
【図５】
0003205478.tif 000007
【図６】
0003205478.tif 000008
【図７】
0003205478.tif 000009
【図８】
0003205478.tif 000010